(57)【要約】【課題】省資源タイプの枕付包装箱を提供すること。【解決手段】蓋と身とからなる被せ箱と、前記蓋の深さよりも薄く、かつ蓋の内壁面に接して取り付けることできる一つまたは複数個の蓋枕からなり、前記蓋は、４側面が外側壁と内側壁とによりなる２重壁であるように組立てられている箱体であって、前記相対向する一対の内壁面下部に前記蓋枕の固定用切込部が形成されている。前記蓋枕は、角筒体からなり、角筒体の両端に、該筒体の少なくとも一面から伸びる舌片が設けられ、蓋枕の端面を蓋の内壁面に接するように組付けたときに、前記舌片が、前記蓋の内壁面に設けた固定用切込部に入りこんで、蓋枕を蓋内の定位置に保持することを特徴とする【選択図】　　　図５
2004018027.tif 000002
【特許請求の範囲】
【請求項１】
蓋と身とからなる被せ箱と、前記蓋の深さよりも薄く、かつ蓋の内壁面に接して取り付けることできる一つまたは複数個の蓋枕からなり、
前記蓋は４側面が外側壁と内側壁とによりなる２重壁であるように組立てられている箱体であって、相対向する一対の内壁面下部に前記蓋枕の固定用切込部が形成され、
前記蓋枕は、角筒体からなり、該角筒体の両端に筒体の少なくとも一面から伸びる舌片が設けられ、蓋枕の端面を蓋の前記内壁面に接するように組付けたときに、前記舌片が、前記蓋の内壁面に設けた固定用切込部に入りこみ、蓋枕を定位置に保持することを特徴とする省資源型枕つき包装箱。
【請求項２】
蓋枕２個を蓋内の中央部を除く、両端に接して取り付けたことを特徴とする請求項１に記載の省資源型枕つき包装箱。
【請求項３】
蓋枕に取り外し用指孔を設けたことを特徴とする請求項１または２に記載の省資源型枕つき包装箱。
【発明の詳細な説明】
【０００１】
【発明の属する技術分野】
本発明は蓋枕つき包装箱に関する。特に身箱と蓋とからなる被せ箱において、内部の商品を固定するために、蓋の内側に蓋枕と呼ばれる固定パッドを取り付けた包装箱に関するものである。
【０００２】
【従来の技術】
従来、贈答用詰め合わせ品を収容する包装箱として、身箱と蓋の双方の側面が共に二重壁となっているダブルウォールカートンタイプの被せ箱が広く利用されている。その典型例を挙げると、実用新案登録第３０６６８７２号公報に図７に示すような、せっけんの詰め合わせギフト用の箱が開示されている。図７の包装箱は、商品全体を見栄えよく見せるため、ボデーソープ等の液体洗剤を入れたボトルが身箱の中央に配置され、そのボトルの両側に化粧せっけんと呼ばれる固形石鹸が複数個配置されている。
この詰め合わせ箱は、身箱内部に詰め込まれる商品の大きさ、高さが一定でないことから、輸送、保管、販売時等に荷重の掛かった状態で多段に積み上げたり、取扱いの際に商品が所定の位置から動いたり、脱出したり、商品が損傷する恐れがある。そこで、これを防止するために身箱と蓋の双方またはいずれか一方に、固定パッドが挿入されていることが多い。
【０００３】
蓋に設けるパッドは、図８にも示すように、蓋よりも深さの低い箱型の部材より形成されており、詰め合わせ品のうち高さの低い商品の上面に接して、商品が上下方向に移動するのを防いでいる。このものは使用時に蓋の内側に嵌めこんで商品を上から押さえて固定するところから「枕」とか「蓋枕」とよばれている。ところで、このパッド、換言すると枕には、その一部（図の例は中央）には高さの高い商品との干渉をさけるため、商品形状に合わせて切込形成した凹部が設けられている。また、このパッドは、逆さにしても蓋から落ちないように位置決め片が前記の蓋の内面に設けた係合孔に係合するように設けられていた。
【０００４】
【発明が解決しようとする課題】
しかしながら、近年、消費者の環境意識の高まりに伴い、日常生活の見直しと共に消費行動にも変化がみられ、省資源で、環境問題に配慮したパッケージが消費者から求められるようになってきた。従来の蓋枕付包装箱は、使用時に組立て易く考慮されているが、枕が蓋内全域に設けられるので過大包装ではないかとの指摘があった。そのうえ、中央には高さの高い商品との干渉をさける凹部をわざわざ設けるので包装設計が複雑になり、かつ使用材料にムダを生じていた。しかも使用後の包装箱は、廃棄時に各家庭からそのままの形で捨てられるが、蓋の全面に枕があると押し潰すとき、潰しにくく、ゴミが嵩張るという問題があった。
【０００５】
また、従来の枕は、図７のように、ボデーソープのボトルが身箱の中央に配置され、そのボトルの両側には化粧せっけんが配設されるように設計されているから、ボデーソープと石鹸の位置関係を変えると、枕全体のレイアウトを変えなくてはいけないという問題もあった。
【０００６】
この発明は、従来形の課題である包装設計の面倒さや使用材料のムダをなくすと共に、枕の固定が簡単に行えるようにし、また使用後の廃棄時に、簡単に身箱から取り外して分解できるようにし、さらに従来単一物であった枕を小分割し、かつ分割した個々の枕を単独でも使用可能にして、汎用性を高めた省資源タイプの枕つき包装箱である。
【０００７】
【課題を解決するための手段】
上記課題を解決するため、本発明の第１は、蓋と身とから被せ箱と、前記蓋の深さよりも薄く、かつ蓋の内壁面に接して取り付けることできる一つまたは複数個の蓋枕からなり、
前記蓋は、４側面が外側壁と内側壁とによりなる２重壁であるように組立てられている箱体であって、前記相対向する一対の内壁面下部に前記蓋枕の固定用切込部が形成され、
前記蓋枕は、角筒体からなり、角筒体の両端に、該筒体の少なくとも一面から伸びる舌片が設けられ、蓋枕の端面を蓋の内壁面に接するように組付けたときに、前記舌片が、前記蓋の内壁面に設けた固定用切込部に入りこんで、蓋枕を蓋内の定位置に保持することを特徴とする包装箱である。
【０００８】
本発明の第２は、第１の発明において蓋枕２個を蓋内の中央部を除く、両端に接して取り付けたことを特徴とする。
【０００９】
本発明の第３は、前記蓋枕に取り外し用指孔を設けたことを特徴とする。
【００１０】
【発明の実施の形態】
本発明の実施の一形態を具体的に説明する。図１は石鹸とボデーソープの詰め合わせギフト用の被せ箱を示し、Ａは蓋、Ｂは身箱である。図２は、前記の蓋Ａを裏返して見た図である。
【００１１】
図２において、蓋Ａの内側に本発明でいう蓋枕Ｃが蓋内の中央部を除く、両端に接して取り付けられている。
図３は蓋Ａの展開図、図４は蓋枕Ｃの展開図である。蓋Ａは一例として坪量４００ｇ／ｍ２のコートボール紙を用いて打ち抜き形成されている。また蓋枕Ｃも前記蓋と同様な素材を用いて形成することを可とする。身箱Ｂは図示省略したが、Ｅフルート段ボールシートを使用して形成することを可とする。
【００１２】
図３において、符号２０は組立て前の蓋Ａのブランクを示しており、該ブランクの中央に矩形の天板１が区画されている。この矩形天板１の相対する２辺（短辺側）に、一対の外側壁２と内側壁３が折り目を介し順に連接されている。また同様に、他方の相対する２辺（長辺側）に、一対の外側壁７と内側壁８が折り目を介し順に連接されている。そして前記一対の外側壁２の両端に三角フラップ４ａ、４ａが、一対の外側壁７の両端に三角フラップ４ｂ、４ｂがそれぞれ形成され、各フラップ４ａと４ｂとは、４５度の折り目５を介して隣接されている。また、内側壁３の両端には前記係止片６ａ、６ａが突設されていて、他方の内側壁８の両端には前記係止片６ａ、６ａが嵌りこむ切欠き６ｂ、６ｂが形成されている。
【００１３】
上記の蓋Ａを組立てる場合はまず、長辺がわの内側壁８を外側壁７の上に折り重ねた後、この内外両側壁を天板１に対して垂直に立ち上げる。次に両フラップ４ａ、４ｂ間の折り目５を介して、その両フラップを合掌させて内側に折り曲げる。次に短辺がわの外側壁２を垂直に立ち上げ、さらに内側壁３を外側壁２の内側に来るように折り曲げて、係止片６ａ、６ａが切欠き６ｂ、６ｂに嵌りこむようにするのである。このようにすると、蓋Ａの組み立てが完了する。
また、組立て後、相対向する一対の内側壁８の下縁となる個所には、後記のような蓋枕Ｃを設置して固定する切込部９が形成される。
【００１４】
既に述べたように、蓋枕Ｃは、身箱内部の商品を固定するために、蓋の内側に予め設置しておくものであるが、蓋天板と同じ大きさに形成することは包装材料の無駄でもあるし、高さの高い商品には邪魔になる。枕は必要とする商品の上だけに設ければ良い。そこで本発明の実施例では、図２のごとく角筒状の蓋枕２個を蓋内の中央部を除く、両端に接して取り付けたことを特徴とする。
各蓋枕は一枚の紙を打ち抜いて作製した図４に示す枕用ブランク２１から形成する。すなわち図４において、１０ａ、１０ｂは幅広の上下一対の面板であり、細幅の側板１１を挟んで連接されている。面板は、天板１の略１／３の大きさであり、その長さは、蓋の短辺側側壁２または３と略同じである。
１２ａ、１２ｂは側板と同形の連結板であり、各面板１０ａ、１０ｂの左右側縁部に連接されている。１３ａ、１３ｂは各面板１０ａ、１０ｂの両端に連接した舌片であり、１３ｂは１３ａよりも短く形成されているが、前記の切込部９に対応した寸法に形成されている。なお、符号１４は、面板１０ａに設けた一対の指孔であるが不可欠なものではない。これは蓋枕Ｃを蓋の内側に設置したり、取り外すとき指を入れて使用するものである。
【００１５】
上記枕用ブランク２１を組立て使用する場合は、前記の面板と側板とを角筒状に連係してから、その角筒体の両端面に舌片１３ａと舌片１３ｂを折り重ねて、図５のごとく角筒状の蓋枕２個を蓋内の中央部を除く、両端に接して取り付けるのである。
【００１６】
以上の説明したように、蓋枕は、角筒体からなり、該角筒体の両端に筒体の上下面から伸びる舌片が設けられ、蓋枕の端面を蓋の前記内壁面に接するように、面板に設けた指孔を介して組付けたときに、前記蓋枕の舌片の少なくとも一つが、前記蓋の内壁面に設けた固定用切込部に入りこみ、蓋枕を定位置に保持することとなる。
また、この蓋枕を蓋から取り外すときは、蓋の両側壁を広げながら前記指孔に指を入れて前記蓋枕の舌片と蓋の内壁面に設けた固定用切込部の係合を解除すればよい。
【００１７】
上記蓋枕は、枕は必要とする商品の位置や、商品詰め合わせ方に応じて、図６（ａ）と（ｂ）に例示するように、蓋の内側全面に敷きこんでもよく、或いは枕を単独でも使用することも可能である。いずれも、ボデーソープと石鹸の位置関係に合わせて枕の配置を変更することが可能となる。
【００１８】
【発明の効果】
以上説明したように本発明は、枕の包装設計の面倒さや使用材料のムダをなくすと共に、固定も簡単に行える。また枕の位置変更が可能となり、汎用性が高まった。さらに使用後の廃棄時に、簡単に身箱から取り外して分解できる効果がある。
【図面の簡単な説明】
【図１】本発明に係る被せ箱の一例を示す。
【図２】前記被せ箱の蓋を裏返して見た図である。
【図３】蓋ブランクの展開図である。
【図４】枕用ブランクの展開図である。
【図５】蓋枕の取り付け過程を示した説明図である。
【図６】蓋枕の他の取り付け例を示した説明図である。
【図７】従来の被せ箱を示す説明図である。
【図８】蓋の内側に枕を取り付けた従来例を示す図である。
【符号の説明】
Ａ　蓋
Ｂ　身箱
Ｃ　蓋枕
１　天板
２　外側壁
３　内側壁
４ａ、４ｂ　三角フラップ
５　折り目
６ａ　係止片
６ｂ　切欠き
７　外側壁
８　内側壁
９　切込部
１０ａ、１０ｂ　面板
１１　側板
１２ａ、１２ｂ　連結板
１３ａ、１３ｂ　舌片
１４　指孔
【図１】
2004018027.tif 000003
【図２】
2004018027.tif 000004
【図３】
2004018027.tif 000005
【図４】
2004018027.tif 000006
【図５】
2004018027.tif 000007
【図６】
2004018027.tif 000008
【図７】
2004018027.tif 000009
【図８】
2004018027.tif 000010